(57)【特許請求の範囲】
【請求項１】
ブロードキャスト通信又はマルチキャスト通信に対応可能な移動局であって、
前記移動局が、Ｉｄｌｅモードである場合に、前記ブロードキャスト通信又は前記マルチキャスト通信に係る制御情報を生成し、該制御情報に該制御情報の種類を特定するための制御情報識別子を付与し、個別チャネルを設定することなく、無線制御装置に対して共通チャネルを介して該制御情報を送信するように構成されており、
前記制御情報識別子は、前記ブロードキャスト通信又は前記マルチキャスト通信を特定するための識別情報、或いは、前記マルチキャスト通信におけるマルチキャストグループ識別情報であることを特徴とする移動局。
【発明の詳細な説明】
【技術分野】
【０００１】  本発明は、ブロードキャスト通信又はマルチキャスト通信に対応可能な移動局に関する。
【背景技術】
【０００２】  従来の移動通信システムにおいて、図１に示すように、１つ又は複数の基地局ＢＳが、所定エリア内の不特定多数の移動局ＵＥ（Ｕｓｅｒ  Ｅｑｕｉｐｍｅｎｔ）に対して同一情報を一斉に送信するブロードキャスト（Ｂｒｏａｄｃａｓｔ）通信が知られている（例えば、非特許文献１参照）。【０００３】  さらに、従来の移動通信システムにおいて、図２に示すように、特定グループに属している複数の移動局ＵＥに対して同一情報を送信するマルチキャスト（Ｍｕｌｔｉｃａｓｔ）通信が知られている（例えば、非特許文献２参照）。【０００４】  また、従来の移動通信システムで用いられる移動局ＵＥの状態（モード）には、図３に示すように、「Ｉｄｌｅモード」と「Ｃｏｎｎｅｃｔｅｄモード」の２種類が存在する。【０００５】  「Ｉｄｌｅモード」は、当該移動局ＵＥと無線制御装置ＲＮＣとの間でＲＲＣ（Ｒａｄｉｏ  Ｒｅｓｏｕｒｃｅ  Ｃｏｎｔｒｏｌ）コネクションが確立されていない状態、すなわち、無線制御装置ＲＮＣが当該移動局ＵＥの位置情報を追跡する必要がない状態である。一方、「Ｃｏｎｎｅｃｔｅｄモード」は、当該移動局ＵＥと無線制御装置ＲＮＣとの間でＲＲＣコネクションが確立されている状態である。ＲＲＣコネクションの確立及び解放によって、移動局ＵＥの状態は、図３に示すように遷移する。【０００６】  移動局ＵＥと無線制御装置ＲＮＣとの間でＲＲＣコネクションは、移動局ＵＥからの自発的な発呼によって、又は、Ｉｄｌｅモードの移動局ＵＥによるページング（Ｐａｇｉｎｇ）の受信によって設定される。【０００７】  図４を参照して、Ｉｄｌｅモードの移動局ＵＥがページングを受信した場合にＲＲＣコネクションが設定される様子を説明する。【０００８】  図４に示すように、交換網ＣＮ（Ｃｏｒｅ  Ｎｅｔｗｏｒｋ）が、移動局ＵＥに対する着呼のためにページング信号を無線制御装置ＲＮＣに送信し、当該無線制御装置ＲＮＣは、ページング信号を移動局ＵＥに送信する。移動局ＵＥは、受信したページング信号が自局宛ての信号であると判断した場合、無線制御装置ＲＮＣとの間のＲＲＣコネクション設定手順を行い、Ｃｏｎｎｅｃｔｅｄモードに移行する。【０００９】
【非特許文献１】
▲３ｒｄ▼Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｔｅｒｍｉｎａｌｓ著，２３．０４１  Ｔｅｃｈｎｉｃａｌ  ｒｅａｌｉｚａｔｉｏｎ  ｏｆ  Ｃｅｌｌ  Ｂｒｏａｄｃａｓｔ  Ｓｅｒｖｉｃｅ（ＣＢＳ），２０００年１０月
【非特許文献２】
▲３ｒｄ▼Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ著，２５．３２４  Ｂｒｏａｄｃａｓｔ／Ｍｕｌｔｉｃａｓｔ  Ｃｏｎｔｒｏｌ  ＢＭＣ，２０００年１２月
しかしながら、従来の移動通信システムにおけるブロードキャスト通信又はマルチキャスト通信では、Ｉｄｌｅモードの移動局ＵＥが、個別チャネル（ＤＣＣＨ（Ｄｅｄｉｃａｔｅｄ  Ｃｏｍｍｏｎ  Ｃｏｎｔｒｏｌ  Ｃｈａｎｎｅｌ）やＤＴＣＨ（Ｄｅｄｉｃａｔｅｄ  Ｔｒａｎｓｐｏｒｔ  Ｃｈａｎｎｅｌ）等）を設定することができないため、無線制御装置ＲＮＣは、共通チャネルを介して移動局ＵＥから送信された制御情報が、どのブロードキャスト通信又はマルチキャスト通信に係る制御情報であるかを識別する手段がないという問題点があった。【００１０】  そこで、本発明は、以上の点に鑑みてなされたもので、ブロードキャスト通信又はマルチキャスト通信において、個別チャネルを設定することなく、無線制御装置に対して、ブロードキャスト通信又はマルチキャスト通信に係る制御情報を送信することを可能とする移動局を提供することを目的とする。
【発明の開示】
【００１１】  本発明の第１の特徴は、ブロードキャスト通信又はマルチキャスト通信に対応可能な移動局であって、前記ブロードキャスト通信又は前記マルチキャスト通信に係る制御情報を生成する制御情報生成部と、前記制御情報に該制御情報の種類を特定するための制御情報識別子を付与する制御情報識別子付与部と、無線制御装置に対して共通チャネルを介して前記制御情報を送信する送信部とを具備することを要旨とする。
【００１２】  本発明の第１の特徴において、前記制御情報識別子付与部が、前記制御情報にＭＡＣヘッダを付与し、当該ＭＡＣヘッダに前記制御情報識別子を挿入するように構成されていてもよい。
【００１３】  また、本発明の第１の特徴において、前記制御情報識別子が、前記ブロードキャスト通信又は前記マルチキャスト通信を特定するための識別情報、或いは、前記マルチキャスト通信におけるマルチキャストグループＩＤであるように構成されていてもよい。
【図面の簡単な説明】
【００１４】
【図１】図１は、従来技術に係るブロードキャスト通信を説明するための図である。
【図２】図２は、従来技術に係るマルチキャスト通信を説明するための図である。
【図３】図３は、従来技術に係るブロードキャスト通信を説明するための図である。
【図４】図４は、従来技術に係るブロードキャスト通信を説明するための図である。
【図５】図５は、本発明の一実施形態に係る移動局を有する移動通信システムの全体構成図である。
【図６】図６は、本発明の一実施形態に係る移動局の機能ブロック図である。
【図７】図７は、本発明の一実施形態において移動局によって送信される制御情報のフォーマットの一例を示す図である。
【図８】図８は、本発明の一実施形態に係る移動局を有する移動通信システムの動作を示すシーケンス図である。
【発明を実施するための最良の形態】
【００１５】（本発明の一実施形態に係る移動局の構成）
図５に、本発明の一実施形態に係る移動通信システムの全体構成図を示す。本実施形態に係る移動通信システムは、図５に示すように、無線制御装置ＲＮＣの配下に、２つの基地局ＢＴＳ１及びＢＴＳｎを具備している。また、移動局ＵＥは、Ｉｄｌｅモードであり、基地局ＢＴＳ１と通信中であるものとする。【００１６】  図６に、本実施形態に係る移動局ＵＥの機能ブロックを示す。移動局ＵＥは、ブロードキャスト通信又はマルチキャスト通信に対応可能な移動局であって、図６に示すように、モード管理部１１と、チャネル制御部１２と、制御情報生成部１４と、ＭＡＣヘッダ付与部１５と、チャネルタイプ挿入部１６と、制御情報識別子挿入部１７とを具備している。【００１７】  モード管理部１１は、移動局ＵＥの状態（Ｉｄｌｅモード又はＣｏｎｎｅｃｔｅｄモード）を管理するものである。【００１８】  チャネル制御部１２は、無線制御装置ＲＮＣとの間の共通チャネルや個別チャネルの設定を制御すると共に、当該共通チャネルや当該個別チャネルを介した情報の送受信を制御するものである。なお、チャネル制御部１２は、移動局ＵＥがＩｄｌｅモードである場合、無線制御装置ＲＮＣとの間で個別チャネルを設定することができない。【００１９】  制御情報生成部１４は、移動局ＵＥがＩｄｌｅモードである場合、ブロードキャスト通信又はマルチキャスト通信に係る制御情報を生成するものである。例えば、かかる制御情報には、所定のマルチキャストグループへの参加要求（Ｊｏｉｎ）や脱退要求（Ｌｅａｖｅ）等が含まれる。【００２０】  ＭＡＣヘッダ付与部１５は、図７に示すように、制御情報生成部１４により生成された制御情報にＭＡＣヘッダを付与するものである。【００２１】  チャネルタイプ挿入部１６は、図７に示すように、ＭＡＣヘッダ付与部１５により制御情報に付与されたＭＡＣヘッダに、当該制御情報が個別チャネルで送信されるべきか共通チャネルで送信されるべきかを示すチャネルタイプを挿入するものである。【００２２】  ただし、移動局ＵＥがＩｄｌｅモードである場合、チャネル制御部１２が個別チャネルを設定することができないため、チャネルタイプ挿入部１６は、ＭＡＣヘッダにチャネルタイプを挿入しないように構成されていてもよい。【００２３】  制御情報識別子挿入部１７は、図７に示すように、ＭＡＣヘッダ付与部１５により制御情報に付与されたＭＡＣヘッダに、当該制御情報（例えば、ＪｏｉｎやＬｅａｖｅ）を識別するための制御情報識別子を挿入するものである。【００２４】  例えば、制御情報識別子は、ブロードキャスト通信又はマルチキャスト通信を特定するための識別情報（例えば、ＭＢＭＳの識別情報）や、マルチキャスト通信におけるマルチキャストグループ識別情報であってもよい。【００２５】  なお、ＭＡＣヘッダ付与部１５とチャネルタイプ挿入部１６と制御情報識別子挿入部１７とが、制御情報に制御情報識別子を付与する制御情報識別子付与部を構成すると共に、移動局ＵＥのＭＡＣ層アーキテクチャを構成する。【００２６】（本発明の一実施形態に係る移動局の動作）
図８を参照して、本実施形態に係る移動局の動作を説明する。【００２７】  ステップ３０１において、Ｉｄｌｅモードの移動局ＵＥの制御情報生成部１４が、ブロードキャスト通信又はマルチキャスト通信に係る制御情報を生成する。【００２８】  ステップ３０２において、ＭＡＣヘッダ付与部１５が、制御情報生成部１４により生成された制御情報にＭＡＣヘッダを付与する。【００２９】  ステップ３０３において、チャネルタイプ挿入部１６が、ＭＡＣヘッダ付与部１５により制御情報に付与されたＭＡＣヘッダにチャネルタイプを挿入し、制御情報識別子挿入部１７が、当該ＭＡＣヘッダに制御情報識別子を挿入する。【００３０】  ステップ３０４において、チャネル制御部１２が、上述のようなＭＡＣヘッダが付与された制御情報を、無線制御装置ＲＮＣに対して共通チャネルを介して送信する。【００３１】  ステップ３０５において、無線制御装置ＲＮＣが、共通チャネルを介して受信した制御情報に付与されたＭＡＣヘッダを解析し、当該ＭＡＣヘッダに挿入されている制御情報識別子に基づいて、当該制御情報に係る制御を行う。【００３２】  具体的には、無線制御装置ＲＮＣは、複数のＩｄｌｅモードの移動局ＵＥから受信した制御情報に付与されたＭＡＣアドレス内の制御情報識別子に基づいて、所定のＭＢＭＳに参加を望んでいるＩｄｌｅモードの移動局ＵＥの数や、所定のＭＢＭＳからの脱退を望んでいるＩｄｌｅモードの移動局ＵＥの数等をカウントする。【００３３】  この点、従来技術に係る無線制御装置ＲＮＣは、共通チャネルを介してＩｄｌｅモードの移動局から制御情報を受信した場合であっても、制御情報がどのＭＢＭＳに対する制御情報に対するものかについて判断することができなかったため、所定のＭＢＭＳに参加を望んでいるＩｄｌｅモードの移動局ＵＥの数や、所定のＭＢＭＳからの脱退を望んでいるＩｄｌｅモードの移動局ＵＥの数等をカウントすることができなかった。【００３４】  なお、複数のＩｄｌｅモードの移動局ＵＥから受信した制御情報に付与されたＭＡＣアドレス内に移動局ＩＤが含まれている場合、無線制御装置ＲＮＣは、当該制御情報に基づいて、当該移動局ＩＤによって識別される移動局に対するＪｏｉｎ処理やＬｅａｖｅ処理を施すように構成されていてもよい。【００３５】（本発明の一実施形態に係る移動局の作用・効果）
本実施形態に係る移動局によれば、無線制御装置ＲＮＣが、移動局ＵＥから送信された制御情報に付与された制御情報識別子に基づいて、当該制御情報がどのブロードキャスト通信又はマルチキャスト通信に係る制御情報であるかを識別することが可能となる。【００３６】  また、本実施形態に係る移動局によれば、無線制御装置ＲＮＣとの間で個別チャネルを設定することなく、ブロードキャスト通信又はマルチキャスト通信に係る制御情報を送信することができるため、無線リソースの有効活用及びバッテリ消費効率の向上を実現することができる。
【産業上の利用可能性】
【００３７】  以上説明したように、本発明によれば、ブロードキャスト通信又はマルチキャスト通信において、個別チャネルを設定することなく、無線制御装置に対して、ブロードキャスト通信又はマルチキャスト通信に係る制御情報を送信することを可能とする移動局を提供することができる。
【図１】
0004302106.tif 000002
【図２】
0004302106.tif 000003
【図３】
0004302106.tif 000004
【図４】
0004302106.tif 000005
【図５】
0004302106.tif 000006
【図６】
0004302106.tif 000007
【図７】
0004302106.tif 000008
【図８】
0004302106.tif 000009